(57)【要約】【課題】隣接する遊技機での遊技に支障を来たすことなく紙幣の取り出しを行い得るようにするとともに、その取り出し頻度を少なくして保守管理の容易化を図り得る遊技媒体貸出用台間機を提供する。【解決手段】台間機は、台間機の外面を構成する箱型の台間機枠２１１と、台間機枠内に配置され、台間機枠の前面に臨む紙幣投入口２１３より紙幣の短辺を垂直に立てて投入された紙幣の真偽を識別しかつ真札であるものを出口から送り出す紙幣識別機と、台間機枠内にそれぞれ配置され、紙幣の短辺を垂直に立てた状態で紙幣を収納する複数の紙幣収納部２２０ａ，２２０ｂと、紙幣識別機の出口から紙幣を台間機枠内の所定の搬入位置にまで導く紙幣搬送装置２３０と、複数の紙幣収納部の中から１つの紙幣収納部に対し搬入位置で紙幣搬送装置から紙幣が搬入されるように紙幣収納部を移動させる収納部移動装置２５０とを備える。【選択図】図２０
2009112872.tif 000002
【特許請求の範囲】
【請求項１】
隣接する遊技機の間に設置される遊技媒体貸出用台間機であって、
台間機の外面を構成する箱型の台間機枠と、
この台間機枠内に配置され、台間機枠の前面に臨む紙幣投入口より紙幣の短辺を垂直に立てて投入された紙幣の真偽を識別しかつ真札であるものを出口から送り出す紙幣識別機と、
上記台間機枠内にそれぞれ配置され、紙幣の短辺を垂直に立てた状態で紙幣を収納する複数の紙幣収納部と、
上記紙幣識別機の出口から紙幣を台間機枠内の所定の搬入位置にまで導く紙幣搬送装置と、
上記複数の紙幣収納部の中から１つの紙幣収納部に対し上記搬入位置で紙幣搬送装置から紙幣が搬入されるように紙幣収納部を移動させる収納部移動装置とを備えたことを特徴とする遊技媒体貸出用台間機。
【請求項２】
上記紙幣搬送装置は、紙幣識別機の背面側に設けた出口から紙幣を方向反転して紙幣識別機側方の搬入位置にまで導く搬送経路を有してなり、上記複数の紙幣収納部は、上記搬入位置の上下方向に沿って一列に配置されている請求項１記載の遊技媒体貸出用台間機。
【請求項３】
上記複数の紙幣収納部は、紙幣を取り出しいずれの紙幣収納部にも紙幣がない最初の状態では上記搬入位置で内外に重なり合って配置され、最も内側の紙幣収納部に紙幣を搬入し、所定の紙幣収容量に達したときこの紙幣収納部を収納部移動装置によって外側の紙幣収納部の外部に移動し、これを繰り返すことにより内側の紙幣収納部から順に紙幣の搬入を行うように構成されている請求項２記載の遊技媒体貸出用台間機。
【請求項４】
上記複数の紙幣収納部のうち、上記最初の状態で最も内側の紙幣収納部以外の紙幣収納部は、箱型収納ケースの底板が左右２つの部分に分割されているとともに、この２つの分割部分が共に側板に回動可能に取り付けられていて、収納ケースの底面を閉じた状態から分割部分を収納ケースの内側に押し上げて開くように構成されている請求項３記載の遊技媒体貸出用台間機。
【請求項５】
上記紙幣搬送装置は、紙幣を両側から挟持する一対の薄板により搬送経路が形成されているとともに、上記薄板に設けた開口を通して紙幣に接触可能なローラにより搬送経路に沿って紙幣を搬送するように構成されている請求項１〜４のいずれか一つに記載の遊技媒体貸出用台間機。
【発明の詳細な説明】
【技術分野】
【０００１】
本発明は、遊技場の隣接する遊技機の間に配置される遊技媒体貸出用台間機に関し、特に紙幣が使用可能でかつ紙幣収納部を備えるものに係わる。
【背景技術】
【０００２】
一般に、パチンコホールなどの遊技場においては、複数台のパチンコ機又はスロットマシンを並列に配置して１つの遊技機列を構成し、この２つの遊技機列を互いに背中合わせに配置して１つの遊技島を構成しており、各遊技機列の隣接する遊技機の間毎又は所定間隔毎にそれぞれ遊技媒体貸出用の台間機を配置している。この台間機としては、百円玉などの硬貨又は千円札などの紙幣を投入するとその金額に応じた遊技媒体（パチンコ玉又はメダル）を台間機自体に設けた払い出し口から払い出したり、隣接する遊技機に対し遊技媒体の払い出し信号を出力したり、プリペイドカードを発行したりするものなど種々のタイプがある。
【０００３】
また、紙幣を使用可能とする遊技媒体貸出用台間機において、その内部に設けた紙幣識別機を通して取り込んだ紙幣を収納する方式としては、大別して２つのものがある。その１つの方式は、例えば特許文献１に開示されるように、遊技島内の２つの遊技機列間に島列方向に延びる紙幣搬送装置を配置し、遊技島内の台間機で取り込んだ紙幣を全てこの紙幣搬送装置によって遊技島の端などに配置した紙幣収納部に搬送して一括的に収納するいわゆる一括収納方式である。他の方式は、例えば特許文献２に開示されるように、遊技島内の各台間機毎にそれぞれその内部又は後方などに紙幣収納部を設け、各台間機で取り込んだ紙幣をその台間機の紙幣収納部に個別的に収納するいわゆる個別収納方式である。
【先行技術文献】
【特許文献】
【０００４】
【特許文献１】特開平４−２１３５３４号公報
【特許文献２】特許第２７５９１０４号公報
【発明の概要】
【発明が解決しようとする課題】
【０００５】
ところが、上記従来の収納方式のうち、一括収納方式のものでは、遊技島内の遊技機列間に紙幣搬送装置を配置する必要があるため、その分遊技島の幅寸法が大きくなり、遊技場内での島数が抑えられることになる。また、紙幣搬送装置で紙幣詰まりなどが発生したときのメンテナンス作業に手間がかかるという問題もある。
【０００６】
一方、個別収納方式のものでは、台間機の幅寸法などが抑えられていることから紙幣収納部の大きさが限られ、その紙幣収容量が少ないものであるため、遊技場の営業中に頻繁に紙幣収納部から紙幣の取り出しを行う必要があり、その作業が煩雑である。特に、上記例示の特許文献２の如く台間機の後方から隣接する遊技機の後方に跨って紙幣収納部を設けた場合、紙幣収納部から紙幣を取り出すときに遊技機を移動させる必要があるため、このことが一層顕著であり、また遊技者に多大の迷惑をかけるなどの問題もある。
【０００７】
本発明はかかる諸点に鑑みてなされたものであり、その課題とするところは、上記従来の収納方式のうち、特に個別収納方式のものにおいて、複数の紙幣収納部を台間機の内部に設けることにより、隣接する遊技機での遊技に支障を来たすことなく紙幣の取り出しを行い得るようにするとともに、その取り出し頻度を少なくして保守管理の容易化を図り得る遊技媒体貸出用台間機を提供するものである。
【課題を解決するための手段】
【０００８】
上記の課題を解決するため、請求項１に係る発明は、隣接する遊技機の間に設置される遊技媒体貸出用台間機として、台間機の外面を構成する箱型の台間機枠と、この台間機枠内に配置され、台間機枠の前面に臨む紙幣投入口より紙幣の短辺を垂直に立てて投入された紙幣の真偽を識別しかつ真札であるものを出口から送り出す紙幣識別機と、上記台間機枠内にそれぞれ配置され、紙幣の短辺を垂直に立てた状態で紙幣を収納する複数の紙幣収納部と、上記紙幣識別機の出口から紙幣を台間機枠内の所定の搬入位置にまで導く紙幣搬送装置と、上記複数の紙幣収納部の中から１つの紙幣収納部に対し上記搬入位置で紙幣搬送装置から紙幣が搬入されるように紙幣収納部を移動させる収納部移動装置とを備える構成とする。
【０００９】
この構成では、紙幣投入口より紙幣の短辺を垂直に立てて投入された紙幣は、紙幣識別機で真偽が識別された後紙幣識別機の出口から紙幣搬送装置により所定の搬入位置に導かれ、この搬入位置に予め収納部移動装置により移動させられて待機している１つの紙幣収納部に紙幣の短辺を垂直に立てた状態で収納される。このとき、上記収納部移動装置は、例えば１つの紙幣収納部が満杯になったときに別の紙幣収納部を搬入位置に待機させるように紙幣収納部を移動させたり、紙幣の金種毎に別々の紙幣収納部を搬入位置に待機させるように紙幣収納部を移動させたりする。これにより、複数の紙幣収納部全体で多数の紙幣を収納できることになり、その分紙幣の取り出し頻度が少なくなる。その上、紙幣の取り出し時には例えば台間機のみを遊技機列前方に引き出して正面パネルを外すことなどにより台間機枠内の各紙幣収納部から紙幣を簡単に取り出すことができ、また隣接する遊技機での遊技に支障を来たすこともない。
【００１０】
請求項２に係る発明は、請求項１記載の遊技媒体貸出用台間機の好ましい形態を提供するものである。すなわち、上記紙幣搬送装置は、紙幣識別機の背面側に設けた出口から紙幣を方向反転して紙幣識別機側方の搬入位置にまで導く搬送経路を有してなり、上記複数の紙幣収納部は、上記搬入位置の上下方向に沿って一列に配置される構成とする。この構成では、紙幣搬送装置の搬送経路が比較的短くなり、紙幣の搬送に要する時間の短縮化及び搬送途中での紙幣詰まりの抑制化を図ることができる。また、複数の紙幣収納部を台間機枠内に横方向に並べて配置した場合などに比べて台間機の横幅を余分に拡幅することなく、紙幣収容量を大幅に増大させることができる。
【００１１】
請求項３に係る発明は、請求項２記載の遊技媒体貸出用台間機において、上記複数の紙幣収納部を、紙幣を取り出しいずれの紙幣収納部にも紙幣がない最初の状態では上記搬入位置で内外に重なり合って配置し、最も内側の紙幣収納部に紙幣を搬入し、所定の紙幣収容量に達したときこの紙幣収納部を収納部移動装置によって外側の紙幣収納部の外部に移動し、これを繰り返すことにより内側の紙幣収納部から順に紙幣の搬入を行うように構成する。この構成では、収納部移動装置は、紙幣識別機側方の搬入位置に内外に重なり合って配置された複数の紙幣収納部を単に内側のものから順に外部につまり上方又は下方に移動させるようにすれば足りるので、その簡略化を図ることができる。
【００１２】
請求項４に係る発明は、請求項３記載の遊技媒体貸出用台間機において、複数の紙幣収納部を最初の状態で搬入位置に内外に重なり合って配置するための好ましい形態を提供するものである。すなわち、上記複数の紙幣収納部のうち、上記最初の状態で最も内側の紙幣収納部以外の紙幣収納部において、箱型収納ケースの底板を左右２つの部分に分割するとともに、この２つの分割部分を共に側板に回動可能に取り付けて、収納ケースの底面を閉じた状態から分割部分を収納ケースの内側に押し上げて開くように構成する。
【００１３】
請求項５に係る発明は、請求項１〜４のいずれか一つに記載の遊技媒体貸出用台間機における紙幣搬送装置の好ましい形態を提供する。すなわち、上記紙幣搬送装置において、紙幣を両側から挟持する一対の薄板により搬送経路を形成するとともに、上記薄板に設けた開口を通して紙幣に接触可能なローラにより搬送経路に沿って紙幣を搬送するように構成する。この構成では、紙幣を搬送経路に沿って確実に搬送することができ、搬送途中での紙幣詰まりなどが防止される。
【発明の効果】
【００１４】
以上のように、本発明の遊技媒体貸出用台間機によれば、台間機枠内に各々紙幣の短辺を垂直に立てた状態で紙幣を収納する複数の紙幣収納部を配置したことにより、１台当たりの紙幣収容量を大幅に増大させることができ、その分紙幣の取り出し頻度を少なくすることができる上、隣接する遊技機での遊技に支障を来たすことなく台間機枠内の各紙幣収納部から紙幣を取り出すことができるので、保守管理の容易化を図ることができる。
【００１５】
特に、請求項２に係る発明では、紙幣搬送装置の搬送経路が比較的短くなるため、紙幣の搬送に要する時間の短縮化及び搬送途中での紙幣詰まりの抑制化を図ることができる。また、台間機の横幅を余分に拡幅することなく、紙幣収容量を大幅に増大させることができるので、実施化を図る上で有利である。
【００１６】
また、請求項３に係る発明では、収納部移動装置の簡略化を図ることができるので、実施化を図る上で一層有利なものである。
【００１７】
さらに、請求項５に係る発明では、紙幣を搬送経路に沿って確実に搬送することができるので、搬送途中での紙幣詰まりなどの発生を防止できるという効果を併有する。
【図面の簡単な説明】
【００１８】
【図１】図１は本発明の第１の実施形態に係るメダル貸出用台間機及びスロットマシンの正面図である。
【図２】図２は上記台間機の左半分を切開して見た正面図である。
【図３】図３は図２の要部拡大図である。
【図４】図４は図３のＸ−Ｘ線における断面図である。
【図５】図５は台間機の内部構成を示す斜視図である。
【図６】図６は図５の要部拡大図である。
【図７】図７は図３の要部拡大図である。
【図８】図８は経路切り換え部を切り換えた状態の図７相当図である。
【図９】図９は図７のＹ方向から見た矢視図である。
【図１０】図１０は台間機の制御系のブロック構成図である。
【図１１】図１１は紙幣収納処理のフローチャート図である。
【図１２】図１２は本発明の第２の実施形態に係るメダル貸出用台間機の一部切開した正面図である。
【図１３】図１３は図１２の要部拡大図である。
【図１４】図１４は図１３のＺ−Ｚ線における断面図である。
【図１５】図１５は上記台間機の内部構成を示す斜視図である。
【図１６】図１６は図１４の経路切り換え部の拡大図である。
【図１７】図１７は紙幣収納処理のフローチャート図である。
【図１８】図１８は本発明の第３の実施形態に係るメダル貸出用台間機の一部切開した正面図である。
【図１９】図１９は図１８のＫ−Ｋ線における断面図である。
【図２０】図２０は上記台間機の内部構成を示す斜視図である。
【図２１】図２１は１つの収納ケースの移動途中の状態を示す図２０相当図である。
【図２２】図２２は２つの収納ケースが内外に重なり合った状態を示す図２０相当図である。
【発明を実施するための形態】
【００１９】
以下、本発明を実施するための形態である実施形態を図面に基づいて説明する。
【００２０】
図１は本発明の第１の実施形態に係る遊技場のスロットマシン島における１組のスロットマシンＡ及びメダル貸出用台間機Ｂを示す。スロットマシンＡは、その前面上部に３つのリール表示窓１，１，１及びクレジット枚数表示部２などの表示部を、前面中央部にメダル投入口４、スタートレバー５及び３つの停止ボタン６，６，６などの操作部を、下部にメダル払出口８及びメダル受け皿９をそれぞれ有している。
【００２１】
台間機Ｂは、その外面が箱型の台間機枠１１によって構成され、この台間機枠１１の前面部を構成する正面パネル１１ａの右側部分に上側より順に紙幣識別機１２（図４参照）の紙幣投入口１３、カード処理操作・表示部１４及びカードユニット１６のカード挿入口１７を有している。そして、この台間機Ｂとその右隣りのスロットマシンＡとは信号授受可能に接続されていて、台間機Ｂの紙幣識別機１２の紙幣投入口１３に紙幣を投入するとカードユニット１６のカード挿入口１７よりカードを発行し、またカード処理操作・表示部１４のカード挿入ボタン１５を押すと発行カードをカードユニット１６に取り込み、右隣りスロットマシンＡにおいて所定のクレジット枚数をクレジット枚数表示部２に加算して表示させることなどでカードの使用が可能になっている。
【００２２】
上記紙幣識別機１２は、その紙幣投入口１３が垂直方向に細長く形成されていて、この紙幣投入口１３より紙幣がその短辺を垂直に立てて投入されるとともに、投入された紙幣の真偽及び金種を識別しかつ真札であるものを背面側に設けた出口（図示せず）より送り出すようになっている。台間機枠１１内には、図２ないし図８に示すように、紙幣識別機１２の他に、紙幣の短辺を垂直に立てた状態で収納する複数、図では６つの紙幣収納部２０ａ，２０ｂ，２０ｃ，２０ｄ，２０ｅ，２０ｆが紙幣識別機１２の左側方に上下方向に沿って一列に配置されているとともに、紙幣識別機１２の背面側の出口から紙幣を搬送経路３１に沿って各紙幣収納部２０ａ〜２０ｆに導く紙幣搬送装置３０が配置されている。
【００２３】
上記各紙幣収納部２０ａ〜２０ｆは、六面のうち前面が開放された箱型の収納ケース２１と、この収納ケース２１内にその左側板２１ａと対向して左右方向に移動可能に配置された押え板２２と、この押え板２２にロッド２３ａ先端が連結されたソレノイドからなるアクチュエータ２３とを備えている。収納ケース２１は、その左側板２１ａと上面板２１ｂとの間に設けた開口部２４より紙幣を内部（詳しくは左側板２１ａと押え板２２との間）に取り入れるようになっているとともに、上面板２１ｂが上方に隣接する他の収納ケース２１の左側板２１ａを構成するようになっている。また、アクチュエータ２３は、ロッド２３ａの外周に配置したコイルばね２５のばね力との力関係により収納ケース２１内に紙幣が収納される毎に押え板２２を収納ケース２１内の左右方向に１回往復移動させるようになっている。
【００２４】
上記紙幣搬送装置３０の搬送経路３１は、紙幣識別機１２の背面側の出口から紙幣を方向反転つまり１８０度方向転換して紙幣識別機１２の左側方にまで導く水平湾曲搬送経路３１ａと、この水平湾曲搬送経路３１ａの一端つまり紙幣識別機１２の左側方位置より紙幣を垂直下方に導く垂直搬送経路３１ｂとからなる。水平湾曲搬送経路３１ａ及び垂直搬送経路３１ｂは、いずれも一定の隙間を隔てて対向し紙幣をその隙間に挟持する一対の薄板３２，３３又は３２，２１ａにより形成されており、垂直搬送経路３１ｂの紙幣収納部２０ａ〜２０ｅ寄りの薄板は各紙幣収納部２０ａ〜２０ｅの収納ケース２１の左側板２１ａにより構成されている。また、水平湾曲搬送経路３１ａの湾曲外側の薄板と垂直搬送経路３１ｂの紙幣収納部２０ａ〜２０ｅと反対側の薄板とは同じ薄板３２からなり、この薄板３２には、水平湾曲搬送経路３１ａの送り方向に延びる２つのぬすみ開口３４，３４が互いに平行に設けられているとともに、垂直搬送経路３１ｂの送り方向に延びる６つのぬすみ開口３５，３５，…が所定間隔毎にかつ互いに平行に設けられている。
【００２５】
上記水平湾曲搬送経路３１ａを構成する一対の薄板３２，３３の２つのぬすみ開口３４，３４を挟んだ上下両側にはそれぞれ水平湾曲搬送経路３１ａの送り方向に所定間隔毎に複数の横送りローラ３６，３７が設けられており、これらの横送りローラ３６，３７は、いずれも薄板３２，３３に設けたローラ開口３８，３９を通して紙幣を両側より挟持するように接触可能で、図示していない動力源からの動力を受けて回転して紙幣を搬送するようになっている。また、上記垂直搬送経路３１ｂを構成する一対の薄板３２，３３又は３２，２１ａの６つのぬすみ開口３５，３５，…を挟んだ前後両側にはそれぞれ垂直搬送経路３１ｂの送り方向に所定間隔毎（詳しくは各紙幣収納部２０ａ〜２０ｆの収納ケース２１の上面板２１ｂ位置及び上下中間位置など）に複数の縦送りローラ４０，４１が設けられており、これらの縦送りローラ４０，４１は、いずれも薄板３２，２１ａに設けたローラ開口４２，４３を通して紙幣を両側より挟持するように、あるいは紙幣を薄板２１ａとの間に挟持するように接触可能で、図示していない動力源からの動力を受けて回転して紙幣を搬送するようになっている。尚、水平湾曲搬送経路３１ａと垂直搬送経路３１ｂとが重複する箇所（紙幣識別機１２の左側方位置）では横送りローラ３７及び縦送りローラ４０は、それぞれローラ開口を通して紙幣を挟持して搬送する位置とローラ開口より離れて待機する位置との間を移動可能に設けられていて、一方のローラで紙幣を搬送するときには他方のローラが紙幣と接触しないよう待機位置に移動するようになっている。
【００２６】
上記垂直搬送経路３１ｂには、最下段の紙幣収納部２０ｆを除く各紙幣収納部２０ａ〜２０ｅの内部とそれより下方の紙幣収納部に連通する経路との分岐部である各紙幣収納部２０ａ〜２０ｅの収納ケース２１の上面板２１ｂ位置にそれぞれ経路切り換え部５０，５０，…が設けられている。この各経路切り換え部５０は、垂直搬送経路３１ｂを構成する薄板３２の側方でこれと平行に延びかつ両端が支軸５１廻りに回動可能に支持された切り換えガイド５２と、この切り換えガイド５２を回動させるモータなどのアクチュエータ（図示せず）とを備えており、上記切り換えガイド５２は、図９に示すように支軸５１から離れた側の側縁に沿って所定間隔毎に複数の延出部５２ａ，５２ａ，…を有し、図７に示す如くこれらの延出部５２ａが薄板３２の側方に位置するときには紙幣をより下方の紙幣収納部に導く一方、図８に示す如く延出部５２ａが薄板３２に設けた開口５３又はぬすみ開口３５などを通して紙幣収納部２０ａ〜２０ｅ寄りに回動したときには紙幣をその位置の紙幣収納部２０ａ〜２０ｅに導くようになっている。
【００２７】
図１０は上記台間機Ｂの制御系の構成を示す。この図において、主制御基板６０はＣＰＵ、ＲＯＭ及びＲＡＭなどを有してなり、この主制御基板６０には紙幣識別機１２、カードユニット１６、カード処理操作・表示部１４及び各種センサが信号授受可能に接続されているとともに、外部送受信部としての中継基板６１を通して右隣りのスロットマシンＡなど台間機Ｂ外部のコンピュータと送受信可能に接続されている。また、主制御基板６０は、紙幣搬送用制御基板６２を介して紙幣搬送装置３０の駆動部であるローラ駆動用動力源及び経路切り換え部５０などを制御する。紙幣搬送用制御基板６２はサブＣＰＵ、ＲＯＭ及びＲＡＭなどを有し、主制御基板６０の指令信号に基づいて、経路切り換え部５０の制御部としてその切り換えなどを制御する。
【００２８】
図１１は上記主制御基板６０による紙幣収納処理の一例を示すフローチャートである。この例の場合、台間機Ｂは１万円札、５千円札及び千円札が使用できるとともに、各金種別のカードを発行可能とする。但し、説明を簡単にするために釣り銭機能はないものとする。また、最下段の紙幣収納部２０ｆに１万円札を、２段目の紙幣収納部２０ｅに５千円札を、その他の紙幣収納部２０ａ〜２０ｄに千円札をそれぞれ収納する。
【００２９】
すなわち、図１１において、先ず、ステップＳ１で紙幣受け入れ可能状態か否かを判定する。この判定がＮＯの紙幣受け入れ可能状態でないときとは、発行カード不足や紙幣搬送系統にエラーが生じているときであり、このときにはエラー処理を要求するために、ステップＳ１２で紙幣投入の受け入れを禁止する紙幣受け入れ禁止モードを実行し、制御を終了する。
【００３０】
一方、ステップＳ１の判定がＹＥＳの紙幣受け入れ可能状態のときには、ステップＳ２で紙幣投入口１３に紙幣が投入されるのを待った後、ステップＳ３で投入された紙幣の金種に相当する種類のカードがカードユニット１６から発行されたか否かを判定する。この判定がＹＥＳのときには、ステップＳ４で投入された紙幣の金種に応じた紙幣収納部への搬送経路をセットするように紙幣搬送用制御基板６２に対し指令信号を出力する。具体的には、投入紙幣が１万円札であれば最下段の紙幣収納部２０ｆに搬送経路３１をセットし、投入紙幣が５千円札であれば２段目の紙幣収納部２０ｅに搬送経路３１をセットする。また、投入紙幣が千円札であれば初め３段目の紙幣収納部２０ｄに搬送経路３１をセットし、その紙幣収納部２０ｄが満杯であれば順次上の段の紙幣収納部２０ｃ，２０ｂ，２０ａに搬送経路３１をセットする。
【００３１】
しかる後、ステップＳ５でセットした搬送経路３１に沿って紙幣を搬送して所定の紙幣収納部２０ａ〜２０ｆに収納する。そして、ステップＳ６で紙幣を収納した紙幣収納部２０ａ〜２０ｆに設けたセンサから紙幣収納の完了を知らせる信号があるか否かを判定し、この判定がＹＥＳの信号があったときには、ステップＳ７で紙幣を収納した紙幣収納部２０ａ〜２０ｆに対応する紙幣収納カウントを１アップする。
【００３２】
続いて、ステップＳ８で上記紙幣収納カウントを基に各紙幣収納部２０ａ〜２０ｆの収納枚数が所定値に達した満杯状態であるか否かを判定し、その判定がＮＯのときにはステップＳ１に戻る一方、判定がＹＥＳのときには更にステップＳ９で１万円札収納部２０ｆ又は５千円札収納部２０ｅが満杯であるか否かを、ステップＳ１０で千円札収納部２０ａ〜２０ｄの全てが満杯であるか否かをそれぞれ判定する。そして、ステップＳ９及びＳ１０の判定が共にＮＯのときにはステップＳ１に戻る一方、いずれか一方の判定がＹＥＳのときには、ステップＳ１１で紙幣回収処理、例えば紙幣回収を促すためにホールコンピュータに発信をしたり、カード処理操作・表示部１４の所定のランプを点灯又は点滅させたりした後、制御を終了する。
【００３３】
上記ステップＳ３の判定がＮＯのカード発行がないときには、ステップＳ１３で紙幣識別機１２において投入紙幣を紙幣投入口１３より返却した後、ステップＳ１２でカード発行不能状態の発生により紙幣受け入れ禁止モードへ移行する。また、ステップＳ６の判定がＮＯのとき、つまり紙幣収納完了を知らせるセンサ信号がないときには、ステップＳ１４で所定時間が経過するのを待った後、ステップＳ１２で搬送経路３１の紙幣詰まりの発生により紙幣受け入れ禁止モードへ移行する。
【００３４】
尚、図１１のフローチャートでは、１万円札収納部２０ｆ又は５千円札収納部２０ｅが満杯になった場合には紙幣回収処理を実行するようにした（ステップＳ９，Ｓ１１）が、満杯となった金種の紙幣の取り扱いを禁止するのみで、他の紙幣、特に千円札の投入を受け入れ、使用を継続するようにしてもよい。
【００３５】
次に、上記メダル貸出用台間機Ｂの作動、特に投入紙幣の収納について説明するに、紙幣投入口１３に紙幣を垂直に立てて投入すると、その投入紙幣は、紙幣識別機１２で金種及び真偽が識別された後、紙幣識別機１２の背面側の出口から紙幣搬送装置３０によりその搬送経路３１に沿って搬送され、台間機枠１１内の６つの紙幣収納部２０ａ〜２０ｆの中の１つに導かれて垂直に立てた状態で収納される。その際、紙幣搬送用制御基板６２は、主制御基板６０の指令信号に基づいて紙幣搬送装置３０の駆動部である経路切り換え部５０の切り換えを制御し、投入紙幣の金種に応じて紙幣収納部２０ａ〜２０ｆへの搬送経路３１をセットする。つまり、投入紙幣が１万円札であれば最下段の紙幣収納部２０ｆに搬送経路３１をセットし、投入紙幣が５千円札であれば２段目の紙幣収納部２０ｅに搬送経路３１をセットする。また、投入紙幣が千円札であれば初め３段目の紙幣収納部２０ｄに搬送経路３１をセットし、その紙幣収納部２０ｄが満杯であれば順次上の段の紙幣収納部２０ｃ，２０ｂ，２０ａに搬送経路３１をセットする。これにより、投入紙幣が金種及び各紙幣収納部２０ａ〜２０ｄでの収納状態に応じて台間機枠１１内の６つの紙幣収納部２０ａ〜２０ｆに分散して収納されるため、台間機Ｂ一台当たりの紙幣収納量を大幅に増大することができ、その分台間機Ｂの紙幣収納部２０ａ〜２０ｆから紙幣を取り出す頻度を少なくすることができる。
【００３６】
その上、台間機Ｂの紙幣収納部２０ａ〜２０ｆから紙幣を取り出すときには、例えば台間機Ｂのみを遊技機列前方に引き出し、台間機枠１１の正面パネル１１ａを取り外すだけで台間機枠１１内の各紙幣収納部２０ａ〜２０ｆから紙幣を簡単に取り出すことができ、また隣接するスロットマシンＡでの遊技に支障を来たすこともなく、紙幣の取り出し作業の容易化ひいては保守管理の容易化を図ることができる。
【００３７】
しかも、上記６つの紙幣収納部２０ａ〜２０ｆは、台間機枠１１内の紙幣識別機１２の左側方に上下方向に沿って一列に配置されているため、これらを台間機枠１１内に横方向に並べて配置した場合などに比べて台間機Ｂの横幅を余分に拡幅することはなく、紙幣収容量の増大を実施上有効に図ることができる。また、紙幣搬送装置３０の搬送経路３１は、紙幣識別機１２の背面側の出口から紙幣を１８０度方向転換して紙幣識別機１２の左側方にまで導く水平湾曲搬送経路３１ａと、この水平湾曲搬送経路３１ａの紙幣識別機１２左側方位置より紙幣を垂直下方に導く１つの垂直搬送経路３１ｂとだけで構成されているため、紙幣搬送装置３０の簡略化を図ることができる。
【００３８】
さらに、上記紙幣搬送装置３０は、紙幣を両側から挟持する一対の薄板３２，３３又は３２，２１ａにより搬送経路３１が形成され、かつ上記薄板３２，３３又は３２，２１ａに設けたローラ開口３８，３９又は４２，４３を通して紙幣に接触可能なローラ３６，３７又は４０，４１により搬送経路３１に沿って紙幣を搬送するように構成されているため、紙幣を搬送経路３１に沿って確実に搬送することができ、搬送途中での紙幣詰まりなどを防止することができる。しかも、搬送経路３１の垂直搬送経路３１ｂは、一対の薄板３２，２１ａのうちの１つを各紙幣収納部２０ａ〜２０ｆの収納ケース２１の左側板２１ａで構成しているため、部材点数を少なくすることができ、台間機Ｂの軽量化などに寄与することができる。
【００３９】
図１２ないし図１５は本発明の第２の実施形態に係るメダル貸出用台間機Ｃを示す。この台間機Ｃは、第１の実施形態に係るメダル貸出用台間機Ｂと同じく、台間機枠１１１の正面パネル１１１ａに上側より順に紙幣識別機１１２の紙幣投入口１１３、カード処理操作・表示部１１４及びカードユニット１１６のカード挿入口１１７を有しているが、紙幣識別機１１２のみが台間機枠１１１内の右側部分に配置され、カード処理操作・表示部１１４及びカードユニット１１６は共に台間機枠１１内の幅方向略中央部に配置されている。
【００４０】
上記紙幣識別機１１２は、その紙幣投入口１１３が垂直方向に細長く形成されていて、この紙幣投入口１１３より紙幣がその短辺を垂直に立てて投入されるとともに、投入された紙幣の真偽を識別しかつ真札であるものを背面側に設けた出口（図示せず）より送り出すようになっている。台間機枠１１１内には、紙幣識別機１１２の他に、紙幣の短辺を垂直に立てた状態で収納する２つの紙幣収納部１２０ａ，１２０ｂが紙幣識別機１１２の左側方に上下二段に配置されているとともに、紙幣識別機１１２の背面側の出口から紙幣を搬送経路１３１に沿って各紙幣収納部１２０ａ，１２０ｂに導く紙幣搬送装置１３０が配置されている。
【００４１】
上記上段側の紙幣収納部１２０ａは、六面のうち前面が開放された箱型の収納ケース１２１と、この収納ケース１２１内にその右側板１２１ｃと対向して左右方向に移動可能に配置された押え板１２２と、この押え板１２２にロッド１２３ａ先端が連結されたソレノイドからなるアクチュエータ１２３とを備えている。収納ケース１２１は、その背面側に設けた開口部１２４より紙幣を内部（詳しくは右側板１２１ｃと押え板１２２との間）に取り入れるようになっている。また、アクチュエータ１２３は、ロッド１２３ａの外周に配置したコイルばね１２５のばね力との力関係により収納ケース１２１内に紙幣が収納される毎に押え板１２２を収納ケース１２１内の左右方向に１回往復移動させるようになっている。
【００４２】
上記下段側の紙幣収納部１２０ｂは、六面のうち前面が開放された箱型の収納ケース１２６と、この収納ケース１２６内にその左側板１２６ａと対向して左右方向に移動可能に配置された押え板１２７と、この押え板１２７にロッド１２８ａ先端が連結されたソレノイドからなるアクチュエータ１２８とを備えている。収納ケース１２６は、その左側板１２６ａと上面板１２６ｂとの間に設けた開口部１２９より紙幣を内部（詳しくは左側板１２６ａと押え板１２７との間）に取り入れるようになっているとともに、上面板１２６ｂが上段側の収納ケース１２１の左側板１２１ａを構成するようになっている。また、アクチュエータ１２８は、上記アクチュエータ１２３と同じくロッド１２８ａの外周に配置したコイルばね１２５のばね力との力関係により収納ケース１２６内に紙幣が収納される毎に押え板１２７を収納ケース１２６内の左右方向に１回往復移動させるようになっている。
【００４３】
上記紙幣搬送装置１３０の搬送経路１３１は、紙幣識別機１１２の背面側の出口から紙幣を１８０度方向転換して紙幣識別機１１２の左側方に位置する上段側の紙幣収納部１２０ａの収納ケース１２１背面側の開口部１２４にまで導く第１の水平湾曲搬送経路１３１ａと、この第１の水平湾曲搬送経路１３１ａの途中から分岐して紙幣を上段側の紙幣収納部１２０ａの左側方に導く第２の水平湾曲搬送経路１３１ｂと、この第２の水平湾曲搬送経路１３１ｂの一端つまり上段側の紙幣収納部１２０ａの左側方より紙幣を垂直下方に導く垂直搬送経路１３１ｃとからなる。第１及び第２の水平湾曲搬送経路１３１ａ，１３１ｂ並びに垂直搬送経路１３１ｃは、いずれも一定の隙間を隔てて対向し紙幣をその隙間に挟持する一対の薄板１３２ａ，１３３、１３２ｂ，１３３又は１３２ａ，１２１ａにより形成されており、垂直搬送経路１３１ｃの紙幣収納部１２０ａ寄りの薄板は紙幣収納部１２０ａの収納ケース１２１の左側板１２１ａにより構成されている。また、第１の水平湾曲搬送経路１３１ａの前半部分（第２の水平湾曲搬送経路１３１ｂとの分岐部より搬送上流側部分）の湾曲外側の薄板と第２の水平湾曲搬送経路１３１ｂの湾曲外側の薄板と垂直搬送経路１３１ｃの紙幣収納部１２０ａと反対側の薄板とは同じ薄板１３２ａからなり、この薄板１３２ａには、第１及び第２の水平湾曲搬送経路１３１ａ，１３１ｂの送り方向に延びる２つのぬすみ開口１３４，１３４が互いに平行に設けられているとともに、垂直搬送経路１３１ｃの送り方向に延びる６つのぬすみ開口１３５，１３５，…が所定間隔毎にかつ互いに平行に設けられている。
【００４４】
上記各水平湾曲搬送経路１３１ａ，１３１ｂを構成する一対の薄板１３２ａ，１３３、１３２ｂ，１３３又は１３２ａ，１２１ａの２つのぬすみ開口１３４，１３４を挟んだ上下両側にはそれぞれ水平湾曲搬送経路１３１ａ，１３１ｂの送り方向に所定間隔毎に複数の横送りローラ１３６，１３７が設けられており、これらの横送りローラ１３６，１３７は、いずれも薄板に設けたローラ開口１３８，１３９を通して紙幣を両側より挟持するように接触可能で、図示していない動力源からの動力を受けて回転して紙幣を搬送するようになっている。また、上記垂直搬送経路１３１ｃを構成する一対の薄板１３２ａ，１２１ａの６つのぬすみ開口１３５，１３５，…を挟んだ前後両側にはそれぞれ垂直搬送経路１３１ｃの送り方向に所定間隔毎に複数の縦送りローラ１４０，１４１が設けられており、これらの縦送りローラ１４０，１４１は、いずれも薄板に設けたローラ開口（図示せず）を通して紙幣を両側より挟持するように接触可能で、図示していない動力源からの動力を受けて回転して紙幣を搬送するようになっている。尚、第２の水平湾曲搬送経路１３１ｂと垂直搬送経路１３１ｃとが重複する箇所（上段側の紙幣収納部１２０ａの左側方位置）では横送りローラ１３７及び縦送りローラ１４０は、それぞれローラ開口を通して紙幣を挟持して搬送する位置とローラ開口より離れて待機する位置との間を移動可能に設けられていて、一方のローラで紙幣を搬送するときには他方のローラが紙幣と接触しないよう待機位置に移動するようになっている。
【００４５】
上記第１の水平湾曲搬送経路１３１ａと第２の水平湾曲搬送経路１３１ｂとの分岐部には経路切り換え部１５０が設けられており、この経路切り換え部１５０は、図１６に拡大詳示するように、水平湾曲搬送経路１３１ａ，１３１ｂを構成する薄板１２１ａ，１３２ｂの端部にそれぞれ設けた切欠き部１５３ａ，１５３ｂを通して両水平湾曲搬送経路１３１ａ，１３１ｂに面して配置された上下一対の切り換えガイド１５２，１５２と、この両切り換えガイド１５２，１５２同士を連結して支持する支軸１５１と、この支軸１５１廻りに上記両切り換えガイド１５２，１５２を回動させるモータなどのアクチュエータ（図示せず）とを備えている。上記各切り換えガイド１５２は、支軸１５１の貫通する端部と反対側に尖塔部１５２ａを有する断面略三角形状のものであり、尖塔部１５２ａを薄板１３２ａに当接した状態（図１６に仮想線で示す状態）では紙幣を第１の水平湾曲搬送経路１３１ａを通して上段側の紙幣収納部１２０ａに導く一方、尖塔部１５２ａを薄板１３３に当接した状態（図１６に実線で示す状態）では紙幣を第２の水平湾曲搬送経路１３１ｂを通して下段側の紙幣収納部１２０ｂに導くようになっている。
【００４６】
上記経路切り換え部１５０を含め紙幣搬送装置１３０の駆動部は、第１の実施形態の場合と同様に台間機Ｃの主制御基板の指令信号を受ける紙幣搬送用制御基板により制御されるようになっており、この制御系の構成は、図１０に示す第１の実施形態のそれと同一になっている。また、主制御基板による紙幣収容処理は、図１７に示すフローチャートに従って行われる。
【００４７】
すなわち、図１７において、先ず、ステップＳ２１で紙幣受け入れ可能状態か否かを判定する。この判定がＮＯの紙幣受け入れ可能状態でないときとは、発行カード不足や紙幣搬送系統にエラーが生じているときであり、このときにはエラー処理を要求するために、ステップＳ３２で紙幣投入の受け入れを禁止する紙幣受け入れ禁止モードを実行し、制御を終了する。
【００４８】
一方、ステップＳ２１の判定がＹＥＳの紙幣受け入れ可能状態のときには、ステップＳ２２で紙幣投入口１１３に紙幣が投入されるのを待った後、ステップＳ２３で投入された紙幣の金種に相当する種類のカードがカードユニット１１６から発行されたか否かを判定する。この判定がＹＥＳのときには、ステップＳ２４で投入された紙幣の搬送を行う。このとき、紙幣搬送装置１３０の経路経路切り換え部１５０では切り換えガイド１５２が予め紙幣を第１の収納部である上段側の紙幣収納部１２０ａに導くようにセットされており、投入紙幣は上段側の紙幣収納部１２０ａに収納される。そして、ステップＳ２５で紙幣収納部１２０ａに設けたセンサから紙幣収納の完了を知らせる信号があるか否かを判定し、この判定がＹＥＳの信号があったときには、ステップＳ２６で紙幣収納カウントを１アップする。
【００４９】
続いて、ステップＳ２７で上記紙幣収納カウントを基に上段側の紙幣収納部１２０ａの収納枚数が所定値に達した満杯状態であるか否かを判定し、その判定がＮＯのときにはステップＳ２１に戻る一方、判定がＹＥＳのときには更にステップＳ２８で経路切り換え部１５０を第２の収納部である下段側の紙幣収納部１２０ｂに切り換え済みであるか否かを判定し、切り換え済みのときには直ちにステップＳ２９に移行する一方、切り換え済みでないときにはステップＳ３０で経路切り換え部１５０を下段側の紙幣収納部１２０ｂに紙幣を導くように切り換え設定を行った後にステップＳ２９に移行する。
【００５０】
そして、ステップＳ２９では更に下側の紙幣収納部１２０ｂがそれに対応した紙幣収納カウントを基に満杯状態であるか否かを判定し、その判定がＮＯのときにはステップＳ２１に戻る一方、判定がＹＥＳのときにはステップＳ３１で紙幣回収処理、例えば紙幣回収を促すためにホールコンピュータに発信をしたり、カード処理操作・表示部１１４の所定のランプを点灯又は点滅させたりした後、制御を終了する。
【００５１】
上記ステップＳ２３の判定がＮＯのカード発行がないときには、ステップＳ３３で紙幣識別機１１２において投入紙幣を紙幣投入口１１３より返却した後、ステップＳ３２でカード発行不能状態の発生により紙幣受け入れ禁止モードへ移行する。また、ステップＳ２５の判定がＮＯのとき、つまり紙幣収納完了を知らせるセンサ信号がないときには、ステップＳ３４で所定時間が経過するのを待った後、ステップＳ３２で搬送経路１３１の紙幣詰まりの発生により紙幣受け入れ禁止モードへ移行する。
【００５２】
次に、上記メダル貸出用台間機Ｃの作動、特に投入紙幣の収納について説明するに、紙幣投入口１１３に紙幣を垂直に立てて投入すると、その投入紙幣は、紙幣識別機１１２でその真偽が識別された後、紙幣識別機１１２の背面側の出口から紙幣搬送装置１３０によりその搬送経路１３１に沿って搬送され、台間機枠１１１内の２つの紙幣収納部１２０ａ，１２０ｂの中の１つに導かれて垂直に立てた状態で収納される。この場合、投入紙幣は、最初第１の収納部である上段側の紙幣収納部１２０ａに収納され、この紙幣収納部１２０ａが満杯になったときに紙幣搬送装置１３０の経路切り換え部１５０が切り換えられ、それ以降第２の収納部である下段側の紙幣収納部１２０ｂに収納される。このため、紙幣収納部１２０ａ，１２０ｂが２つある分紙幣収納量を増大することができ、紙幣の取り出し頻度を少なくすることができる。
【００５３】
その上、台間機Ｃの紙幣収納部１２０ａ，１２０ｂから紙幣を取り出すときには、例えば台間機Ｃのみを遊技機列前方に引き出し、台間機枠１１１の正面パネル１１１ａを取り外すだけで台間機枠１１１内の各紙幣収納部１２０ａ，１２０ｂから紙幣を簡単に取り出することができ、また隣接するスロットマシンでの遊技に支障を来たすこともなく、紙幣の取り出し作業の容易化ひいては保守管理の容易化を図ることができる。特に、本実施形態の場合、台間機枠１１１内の紙幣識別機１１２の左側方に２つの紙幣収納部１２０ａ，１２０ｂを上下２段に設けているに過ぎないため、正面パネル１１１ａの上部のみを開閉扉とすることにより紙幣の取り出し作業の容易化を一層図ることができる。
【００５４】
また、本実施形態においても、第１の実施形態の場合と同様に、台間機Ｃの横幅を余分に拡幅することはなく、紙幣収容量の増大を実施上有効に図ることができるとともに、紙幣搬送装置１３０の簡略化及び紙幣詰まりの防止化を図ることができるなどの効果を奏するのは勿論である。
【００５５】
図１８ないし図２２は本発明の第３の実施形態に係るメダル貸出用台間機Ｄを示す。この台間機Ｄの全体構成は、図１２に示す第２の実施形態のそれと略同じであるが、紙幣識別機２１２の紙幣投入口２１３に投入された紙幣を搬送・収納する構成が異なる。
【００５６】
すなわち、台間機枠２１１内には、紙幣識別機２１２の他に、紙幣の短辺を垂直に立てた状態で収納する２つの紙幣収納部２２０ａ，２２０ｂと、紙幣識別機２１２の背面側の出口から紙幣を所定の搬入位置にまで導く紙幣搬送装置２３０と、上記２つの紙幣収納部２２０ａ，２２０ｂの中から１つの紙幣収納部に対し上記搬入位置で紙幣搬送装置２３０から紙幣が搬入されるように紙幣収納部を移動させる収納部移動装置２５０とが配置されている。
【００５７】
上記紙幣搬送装置２３０は、本実施形態の場合、紙幣識別機２１２の背面側の出口から紙幣を１８０度方向転換して搬入位置である紙幣識別機２１２の左側方位置にまで導く搬送経路２３１を有してなり、この搬送経路２３１は、一定の隙間を隔てて対向し紙幣をその隙間に挟持する一対の薄板２３２，２３３により形成されている。また、搬送経路２３１にはその送り方向の前後及び上下２箇所ずつ計４箇所にそれぞれ一対の横送りローラ２３６，２３６が設けられており、この一対の横送りローラ２３６，２３６は、いずれも薄板に設けたローラ開口２３８，２３９を通して紙幣を両側より挟持するように接触可能で、図示していない動力源からの動力を受けて回転して紙幣を搬送するようになっている。
【００５８】
上記２つの紙幣収納部２２０ａ，２２０ｂのうちの一方の紙幣収納部２２０ａは、六面のうち前面及び上面が開放された箱型の収納ケース２２１と、この収納ケース２２１内にその右側板２２１ｃと対向して左右方向に移動可能に配置された押え板２２２と、この押え板２２２にロッド２２３ａ先端が連結されたソレノイドからなるアクチュエータ２２３とを備えている。収納ケース２２１は、紙幣識別機２１２の左側方位置（つまり紙幣搬送装置２３０からの紙幣の搬入位置）に固定して配置されており、その背面側に設けた開口部２２４より紙幣を内部（詳しくは右側板２２１ｃと押え板２２２との間）に取り入れるようになっている。この収納ケース２２１の底板２２１ｄは、その中心線上で左右２つの部分２２１ｅ，２２１ｅに分割されているとともに、この２つの分割部分２２１ｅ，２２１ｅがいずれも蝶番２２９，２２９を介して左側板２２１ａ又は右側板２２１ｃに取り付けられていて、収納ケース２２１の底面を閉じた状態から分割部分２２１ｅ，２２１ｅを収納ケース２２１の内側に押し上げて開かれるようになっている。アクチュエータ２２３は、ロッド２２３ａの外周に配置したコイルばね２２５のばね力との力関係により収納ケース２２１内に紙幣が収納される毎に押え板２２２を収納ケース２２１内の左右方向に１回往復移動させるようになっている。
【００５９】
また、他方の紙幣収納部２２０ｂは、六面のうち前面及び上面が開放された箱型の収納ケース２２６を備えてなり、この収納ケース２２６は、上記一方の紙幣収納部２２０ａの収納ケース２２１よりも一回り小さく形成されているとともに、収納ケース２２１の真下の位置とこの収納ケース２２１の底板２２１ｄを押し開いて収納ケース２２１の内側に重なり合って配置される位置との間を上記収納部移動装置２５０によって上下移動されるようになっている。収納ケース２２６の背面側には収納ケース２２１の内側位置にて紙幣搬送装置２３０からの紙幣を内部に取り入れるための開口部２２７が設けられているとともに、収納ケース２２６の左側板２２６ａには収納ケース２２６が上下移動するとき他の紙幣収納部２２０ａのアクチュエータ２２３との干渉を避けるための切欠き部２２８が設けられている。
【００６０】
上記収納部移動装置２５０は、紙幣収納部２２０ｂの収納ケース２２６底面から垂下して設けられたラック２５１と、このラック２５１と噛み合うピニオン２５２が回転軸に装着されたモータ２５３とを備え、モータ２５３の回転力によりピニオン２５２及びラック２５１を介して収納ケース２２６を上下移動させるようになっている。
【００６１】
次に、上記メダル貸出用台間機Ｄの作動、特に投入紙幣の収納について説明する。台間機Ｄで紙幣の取り出しを行った直後には、図２２に示すように２つの紙幣収納部２２０ａ，２２０ｂの収納ケース２２１，２２６同士が紙幣識別機２１２の左側方の搬入位置で収納ケース２２１を外側にして内外に重なり合って配置されている。また、紙幣収納部２２０ａのアクチュエータ２２３は内側の収納ケース２２６の左側板２２６ａの切欠き部２２８を通して収納ケース２２６の内部にまで延び、このアクチュエータ２２３のロッド２２３先端に連結された押え板２２２も収納ケース２２６の内部にその右側板２２６ｃと対向して位置する。
【００６２】
この状態において、台間機Ｄの紙幣投入口２１３に紙幣を垂直に立てて投入すると、その投入紙幣は、紙幣識別機２１２でその真偽が識別された後、紙幣識別機２１２の背面側の出口から紙幣搬送装置２３０によりその搬送経路２３１に沿って紙幣識別機２１２の左側方の搬入位置にまで搬送され、上記内側の収納ケース２２６内に導かれて垂直に立てた状態で収納される。その際、アクチュエータ２２３により押え板２２２が収納ケース２２６内を左右方向に１回往復移動して収納紙幣を右側板２２６ｃ側に寄せる。
【００６３】
そして、上記収納ケース２２６内の収納紙幣が所定の収容量に達して満杯状態になったとき、収納部移動装置２５０のモータ２５３の作動により満杯状態の収納ケース２２６が下降して外側の収納ケース２２１内より抜け出し、その真下の位置にまで移動する。その際、外側の収納ケース２２１の底板２２１ｄは、その分割部分２２１ｅ，２２１ｅが開いた状態から自重により閉じる（図１８及び図２０に示す状態）。
【００６４】
この後、台間機Ｄの紙幣投入口２１３に紙幣を垂直に立てて投入すると、その投入紙幣は、紙幣識別機２１２でその真偽が識別された後、紙幣識別機２１２の背面側の出口から紙幣搬送装置２３０によりその搬送経路２３１に沿って紙幣識別機２１２の左側方の搬入位置にまで搬送され、紙幣収納部２２０ａの収納ケース２２１内に導かれて垂直に立てた状態で収納される。
【００６５】
このように、本実施形態の台間機Ｄにおいては、２つの紙幣収納部２２０ａ，２２０ｂの各収納ケース２２１，２２６が満杯になるまで紙幣を収納することができるので、紙幣収納量を増大させて紙幣の取り出す頻度をその分少なくすることができる。その上、第１及び第２の実施形態の場合と同様に、上記両紙幣収納部２２０ａ，２２０ｂから紙幣を取り出すときでも隣接するスロットマシンでの遊技に支障を来たすことはなく、紙幣の取り出し作業の容易化ひいては保守管理の容易化を図ることができる。
【００６６】
また、上記紙幣搬送装置２３０の搬送経路２３１は、紙幣識別機２１２の背面側の出口から紙幣を１８０度方向転換して紙幣識別機２１２の左側方位置にまで導くものに過ぎず、その搬送距離が比較的短いため、紙幣の搬送に要する時間の短縮化及び搬送途中での紙幣詰まりの抑制化に寄与することができる。しかも、収納部移動装置２５０は、２つの紙幣収納部２２０ａ，２２０ｂの一方の収納ケース２２６を他の収納ケース２２１の内側で重なり合う位置とその垂直下方の位置との間を直線移動させるだけのもので、モータ２５３とラック２５１とピニオ２５２とを用いて比較的簡単に構成することができるので、その簡略化を図ることができる。
【００６７】
尚、本発明は上記第１〜第３の実施形態に限定されるものではなく、その他種々の形態を包含するものである。例えば上記各実施形態では、いずれも台間機枠１１，１１１，２１１内の上部右側に紙幣識別機１２，１１２，２１２を配置し、この紙幣識別機の左側方及びその側方位置の下方に複数の紙幣収納部２０ａ〜２０ｆ，１２０ａ，１２０ｂ，２２０ａ，２２０ｂを上下一列に配置したが、本発明は、台間機枠内の中央部又は下部に紙幣識別機を配置し、その側方などに複数の紙幣収納部を配置するようにしてもよい。
【００６８】
また、上記第３の実施形態では、２つの紙幣収納部２２０ａ，２２０ｂの各収納ケース２２１，２２６に紙幣識別機２１２の左側方の搬入位置で紙幣搬送装置２３０から紙幣が搬入されるようにするために、一方の収納ケース２２１を上記搬入位置に固定するとともに、この収納ケース２２１の底板２２１ｄを２つの分割部分２２１ｅ，２１１ｅにより開閉可能に構成し、他の収納ケース２２６をこの収納ケース２２１の下方位置とその底板２２１ｄを開けてその内側に重なり合う位置との間を移動させるようにしたが、本発明は、台間機枠内に配置する複数の紙幣収納部の中から１つの紙幣収納部に対し所定の搬入位置で紙幣搬送装置から紙幣が搬入されるようにするに当たり、各紙幣収納部を個別的に搬入位置にまで移動させたり、あるいは複数の紙幣収納部を最初搬入位置に内外に重ね合わせて配置し、その最も内側の紙幣収納部に紙幣を搬入し、それが満杯になる毎に搬入位置から上方又は下方に移動させるようにしてもよい。
【００６９】
さらに、上記各実施形態では、遊技媒体貸出用台間機として、いずれもカード発行機能を有するメダル貸出用台間機Ｂ，Ｃ，Ｄについて述べたが、本発明は、カード発行機能のないメダル貸出用台間機若しくは高額紙幣を受け入れ釣り銭を排出するメダル貸出用台間機又はパチンコ島の玉貸出用台間機などにも適用することができるのは勿論である。
【符号の説明】
【００７０】
Ａ    遊技機（スロットマシン）
Ｄ    メダル貸出用台間機
２１１    台間機枠
２１２    紙幣識別機
２１３    紙幣投入口
２２０ａ，２２０ｂ    紙幣収納部
２２１，２２６    収納ケース
２２１ａ，２２１ｃ，２２６ａ，２２６ｃ    側板
２２１ｄ    底板
２２１ｅ    分割部分
２３０    紙幣搬送装置
２３１    搬送経路
２３２，２３３    薄板
２３６    横送りローラ
２５０    収納部移動装置
【図１】
2009112872.tif 000003
【図２】
2009112872.tif 000004
【図３】
2009112872.tif 000005
【図４】
2009112872.tif 000006
【図５】
2009112872.tif 000007
【図６】
2009112872.tif 000008
【図７】
2009112872.tif 000009
【図８】
2009112872.tif 000010
【図９】
2009112872.tif 000011
【図１０】
2009112872.tif 000012
【図１１】
2009112872.tif 000013
【図１２】
2009112872.tif 000014
【図１３】
2009112872.tif 000015
【図１４】
2009112872.tif 000016
【図１５】
2009112872.tif 000017
【図１６】
2009112872.tif 000018
【図１７】
2009112872.tif 000019
【図１８】
2009112872.tif 000020
【図１９】
2009112872.tif 000021
【図２０】
2009112872.tif 000022
【図２１】
2009112872.tif 000023
【図２２】
2009112872.tif 000024